(57)【要約】【課題】ユーザが操作したことによってアプリケーションの機能を知らないうちに実行してしまうことを抑制可能な技術を提供することを目的とする。【解決手段】スプリットビュー表示部２の画面に配設されたタッチパネル３からの出力信号に基づいて、指示体によりタッチパネル３を同時に２点でタッチする２点タッチ操作が実施されたかが判定される。制御部１４は、当該実施されたと判定された２点タッチ操作が、アプリケーションの機能を実行するための左用画像に対する左用操作、及び、アプリケーションの機能を実行するための右用画像に対する右用操作のいずれであるかを、当該２点タッチ操作の２点を通る直線の延在方向に基づいて判別する。【選択図】図１
2015108985.tif 000002
【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの機能を実行するための前記第１画像に対する第１操作と、アプリケーションの機能を実行するための前記第２画像に対する第２操作とを一律に受け付ける入力部からの出力信号に基づいて、指示体により前記入力部を同時に２点でタッチする２点タッチ操作、または、当該２点タッチ操作後のジェスチャー操作が実施されたと判定された場合に、当該実施されたと判定された２点タッチ操作またはジェスチャー操作が、前記第１操作及び前記第２操作のいずれであるかを、前記２点を通る直線の延在方向に基づいて判別する制御部
を備える、表示制御装置。
【請求項２】
請求項１に記載の表示制御装置であって、
前記制御部は、
前記入力部の水平方向に対する前記直線の前記延在方向の反時計回りの傾斜角度が０度より大きく９０度より小さい予め定められた範囲内に存在する場合には、前記実施されたと判定された２点タッチ操作またはジェスチャー操作を前記第１操作として判別し、前記傾斜角度が９０度より大きく１８０度より小さい予め定められた範囲内に存在する場合には、前記実施されたと判定された２点タッチ操作またはジェスチャー操作を前記第２操作として判別する、表示制御装置。
【請求項３】
請求項１に記載の表示制御装置であって、
前記制御部は、
前記入力部の水平方向に対する前記直線の前記延在方向の反時計回りの傾斜角度が−４５度より大きく４５度より小さい予め定められた範囲内に存在する場合には、前記実施されたと判定された２点タッチ操作またはジェスチャー操作を前記第１操作として判別し、前記傾斜角度が４５度より大きく１３５度より小さい予め定められた範囲内に存在する場合には、前記実施されたと判定された２点タッチ操作またはジェスチャー操作を前記第２操作として判別する、表示制御装置。
【請求項４】
請求項１乃至請求項３のいずれかに記載の表示制御装置であって、
前記制御部は、
前記第１操作であると判別された２点タッチ操作またはジェスチャー操作が、前記第１画像内の第１アイコンに対する操作であった場合には当該第１アイコンに予め対応付けられた機能を実行し、前記第２操作であると判別された２点タッチ操作またはジェスチャー操作が、前記第２画像内の第２アイコンに対する操作であった場合には当該第２アイコンに予め対応付けられた機能を実行する、表示制御装置。
【請求項５】
請求項４に記載の表示制御装置であって、
前記第１アイコンの少なくとも１つの表示領域の少なくとも一部と、前記第２アイコンの少なくとも１つの表示領域の少なくとも一部とが前記表示部の前記画面上において互いに重ねて配置されている、表示制御装置。
【請求項６】
請求項５に記載の表示制御装置であって、
前記制御部は、
前記入力部からの出力信号に基づいて、指示体により前記入力部を１点でタッチする１点タッチ操作が、前記表示部の前記画面上において互いに重なる前記第１アイコン及び前記第２アイコンのいずれかに対する操作として実施されたと判定された場合には当該１点タッチ操作を無効にする、表示制御装置。
【請求項７】
請求項５または請求項６に記載の表示制御装置であって、
前記制御部は、
前記入力部からの出力信号に基づいて、指示体により前記入力部を１点でタッチする１点タッチ操作が、前記表示部の前記画面上において離間する前記第１アイコン及び前記第２アイコンのいずれかに対する操作として実施されたと判定された場合には当該１点タッチ操作を有効にする、表示制御装置。
【請求項８】
請求項５乃至請求項７のいずれかに記載の表示制御装置であって、
前記制御部は、
前記入力部からの出力信号に基づいて、前記１点タッチ操作が、前記表示部の前記画面上において互いに重なる前記第１アイコン及び前記第２アイコンのいずれかに対する操作として実施されたと判定された場合に、報知用の信号を生成する、表示制御装置。
【請求項９】
請求項５乃至請求項８のいずれかに記載の表示制御装置であって、
前記制御部は、
前記表示部の前記画面上において離間する前記第１アイコン及び前記第２アイコンと、前記表示部の前記画面上において互いに重なる前記第１アイコン及び前記第２アイコンとを識別可能に表示させる、表示制御装置。
【請求項１０】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）アプリケーションの機能を実行するための前記第１画像に対する第１操作と、アプリケーションの機能を実行するための前記第２画像に対する第２操作とを一律に受け付ける入力部からの出力信号に基づいて、指示体により前記入力部を同時に２点でタッチする２点タッチ操作、または、当該２点タッチ操作後のジェスチャー操作が実施されたか否かを判定する工程と、
（ｂ）前記工程（ａ）において実施されたと判定された２点タッチ操作またはジェスチャー操作が、前記第１操作及び前記第２操作のいずれであるかを、前記２点タッチ操作の前記２点を通る直線の延在方向に基づいて判別する工程と
を備える、表示制御方法。
【発明の詳細な説明】
【技術分野】
【０００１】
本発明は、表示部を制御する表示制御装置及び表示制御方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。
【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。
【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、例えば、助手席の同乗者が、ドラッグ操作などの比較的広い範囲にわたる操作を実施した場合などには、運転席側の方向に表示されている画像内のアイコンに対して知らないうちに操作を実施してしまうことがあるという問題があった。
【０００７】
そこで、本発明は、上記のような問題点を鑑みてなされたものであり、ユーザが操作したことによってアプリケーションの機能を知らないうちに実行してしまうことを抑制可能な技術を提供することを目的とする。
【課題を解決するための手段】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であって、制御部を備える。制御部は、アプリケーションの機能を実行するための第１画像に対する第１操作と、アプリケーションの機能を実行するための第２画像に対する第２操作とを一律に受け付ける入力部からの出力信号に基づいて、指示体により入力部を同時に２点でタッチする２点タッチ操作、または、当該２点タッチ操作後のジェスチャー操作が実施されたと判定された場合に、当該実施されたと判定された２点タッチ操作またはジェスチャー操作が、第１操作及び第２操作のいずれであるかを、２点を通る直線の延在方向に基づいて判別する。
【発明の効果】
【０００９】
本発明によれば、実施されたと判定された２点タッチ操作が、第１操作及び第２操作のいずれであるかを、２点タッチ操作の２点を通る直線の延在方向に基づいて判別する。したがって、第１方向に位置するユーザ、及び、第２方向に位置するユーザの一方は、他方と当該延在方向が互いに異なる２点タッチ操作を実施することにより、他方のアプリケーションを知らないうちに実行することなく、一方のアプリケーションを実行することができる。
【図面の簡単な説明】
【００１０】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】実施の形態１に係るナビゲーション装置の動作を示すフローチャートである。
【図７】実施の形態１に係るナビゲーション装置の左用画像及び右用画像の表示例を示す図である。
【図８】２点タッチ操作の一例を示す図である。
【図９】２点タッチ操作の一例を示す図である。
【図１０】実施の形態１に係るナビゲーション装置の動作を説明するための図である。
【図１１】実施の形態１に係るナビゲーション装置の動作を説明するための図である。
【図１２】実施の形態１の変形例１に係るナビゲーション装置の動作を説明するための図である。
【図１３】実施の形態１の変形例１に係るナビゲーション装置の動作を説明するための図である。
【図１４】実施の形態１の変形例３に係るナビゲーション装置の左用画像及び右用画像の表示例を示す図である。
【図１５】実施の形態１の変形例３に係るアイコンの表示形態を示す図である。
【発明を実施するための形態】
【００１１】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１２】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１３】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１４】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。
【００１５】
後述するように、スプリットビュー表示部２は、左用画像内のアイコン（第１アイコン）と、右用画像内のアイコン（第２アイコン）とを表示する。以下、左用画像内のアイコン（第１アイコン）を「左用アイコン」と記し、右用画像内のアイコン（第２アイコン）を「右用アイコン」と記す。また、以下では、左座席が運転席であり、右座席が助手席である構成を例にして説明するが、左座席が助手席であり、右座席が運転席である構成では、以下の説明において左と右とを互いに読み替えたものと同様である。
【００１６】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１７】
スプリットビュー表示部２に空間分割方式の表示装置２００を適用した構成では、視差バリア２０２が左座席の方向に複数の第１画素２０１ａからの光を通過させることによって左用アイコンが視認可能に表示され、視差バリア２０２が右座席の方向に複数の第２画素２０１ｂからの光を通過させることによって右用アイコンが視認可能に表示される。このため、左用アイコンの表示領域の外縁部は、当該左用アイコンの表示に用いられた複数の第１画素２０１ａのうち外縁部に位置する第１画素２０１ａに対応し、右用アイコンの表示領域の外縁部は、当該右用アイコンの表示に用いられた複数の第２画素２０１ｂのうち外縁部に位置する第２画素２０１ｂに対応する。
【００１８】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００１９】
図３では、左用アイコンの外縁部（外枠）が破線で示されており、当該左用アイコンを表示するために、水平方向に配設された４つの第１画素２０１ａが用いられていることが示されている。また、図３では、右用アイコンの外縁部（外枠）が一点鎖線で示されており、当該右用アイコンを表示するために、水平方向に配設された４つの第２画素２０１ｂが用いられていることが示されている。なお、左用画像内のアイコンの表示に用いられる第１画素２０１ａの数、及び、右用画像内のアイコンの表示に用いられる第２画素２０１ｂの数は、４つに限ったものではない。
【００２０】
以下の説明では、スプリットビュー表示部２に空間分割方式の表示装置２００が適用された構成において、左用アイコンの表示に用いられた複数（図３では４つ）の第１画素２０１ａの少なくとも１つが、右用アイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用アイコンの表示領域の少なくとも一部と、当該右用アイコンの表示領域の少なくとも一部とがスプリットビュー表示部２の画面上において互いに重なると記す。また、当該構成において、右用アイコンの表示に用いられた複数（図３では４つ）の第２画素２０１ｂの少なくとも１つが、左用アイコンの表示に用いられた複数（図３では４つ）の第１画素２０１ａのうち外縁部に位置する第１画素２０１ａ（図３では破線に対応する第１画素２０１ａ）に挟まれている場合にも、当該左用アイコンの表示領域の少なくとも一部と、当該右用アイコンの表示領域の少なくとも一部とがスプリットビュー表示部２の画面上において互いに重なると記す。一方、当該構成において、右用アイコンの表示に用いられた第２画素２０１ｂ、及び、左用アイコンの表示に用いられた第１画素２０１ａの一方が、他方に挟まれていない場合に、当該左用アイコンの表示領域と、当該右用アイコンの表示領域とがスプリットビュー表示部２の画面上において離間すると記す。
【００２１】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２２】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２３】
スプリットビュー表示部２に時分割方式の表示装置２５０を適用した構成では、視差バリア２５２が、第１期間に左座席の方向に複数の画素２５１ｃからの光を通過させることによって左用アイコンが視認可能に表示され、第２期間に右座席の方向に複数の画素２５１ｃからの光を通過させることによって右用アイコンが視認可能に表示される。このため、左用アイコンの表示領域の外縁部は、当該左用アイコンの表示に用いられた複数の画素２５１ｃのうち外縁部に位置する画素２５１ｃに対応し、右用アイコンの表示領域の外縁部は、当該右用アイコンの表示に用いられた複数の画素２５１ｃのうち外縁部に位置する画素２５１ｃに対応する。
【００２４】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２５】
図５（ａ）では、第１期間に表示される左用アイコンの外縁部（外枠）が破線で示されており、当該左用アイコンを表示するために、水平方向に配設された３つの画素２５１ｃが用いられていることが示されている。図５（ｂ）では、第２期間に表示される右用アイコンの外縁部（外枠）が破線で示されており、当該右用アイコンを表示するために、水平方向に配設された３つの画素２５１ｃが用いられていることが示されている。なお、左用アイコンの表示に用いられる画素２５１ｃの数、及び、右用アイコンの表示に用いられる画素２５１ｃの数は、３つに限ったものではない。
【００２６】
以下の説明では、スプリットビュー表示部２に時分割方式の表示装置２５０が適用された構成において、第１期間に左用アイコンの表示に用いられた複数の画素２５１ｃのうち少なくとも１つと、第２期間に右用アイコンの表示に用いられた複数の画素２５１ｃのうち少なくとも１つとが一致する場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられ、かつ、第２期間に右用アイコンの表示に用いられた画素２５１ｃが存在しない場合に、当該左用アイコンの表示領域と、当該右用アイコンの表示領域とがスプリットビュー表示部２の画面上において離間すると記す。
【００２７】
詳細な構成については説明を省略するが、スプリットビュー表示部２には、空間分割方式と時分割方式とを組み合わせた方式の表示装置が適用されてもよい。そして、例えば、第１期間に左用アイコンの表示に用いられた画素の少なくとも一部が、第２期間に右用アイコンの表示に用いられた複数の画素のうち外縁部に位置する画素に挟まれている場合、または、第２期間に右用アイコンの表示に用いられた画素の少なくとも一部が、第１期間に左用アイコンの表示に用いられた複数の画素のうち外縁部に位置する画素に挟まれている場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられた画素、及び、第２期間に右用アイコンの表示に用いられた画素の一方が、他方に挟まれていない場合に、当該左用アイコンの表示領域と、当該右用アイコンの表示領域とがスプリットビュー表示部２の画面上において離間すると記す。
【００２８】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（例えば１／３０［秒］）で画素の走査が行われる。
【００２９】
また、以下の説明では、スプリットビュー表示部２の画面上において、表示領域の少なくとも一部が互いに重なる左用アイコン及び右用アイコンを、略して「スプリットビュー表示部２の画面上において互いに重なる左用アイコン及び右用アイコン」のように記すこともある。また、スプリットビュー表示部２の画面上において、表示領域が離間する左用アイコン及び右用アイコンを、略して「スプリットビュー表示部２の画面上において離間する左用アイコン及び右用アイコン」のように記すこともある。
【００３０】
図１に戻って、タッチパネル３の検出面は、スプリットビュー表示部２の画面に配設されている。タッチパネル３（入力部）は、アプリケーションの機能を実行するための左用画像に対する第１操作（以下「左用操作」と記す）と、アプリケーションの機能を実行するための右用画像に対する第２操作（以下「右用操作」と記す）とを一律に受け付ける。本実施の形態１では、タッチパネル３は、検出面をタッチした１以上の指などの指示体について、当該検出面上の二次元の位置を定期的に検出する。そして、タッチパネル３は、当該指示体の位置を示す信号を操作入力処理部９に出力する。
【００３１】
ただし、タッチパネル３は、（Ｘ，Ｙ）座標値のような二次元の位置を指示体の位置として検出するものに限ったものではない。例えば、タッチパネル３は、指示体との距離が最短となる検出面上の点の位置（二次元の位置）と、指示体と検出面（当該点）との間の距離（別の一次元の位置であるＺ軸座標値）とを含む三次元の位置（Ｘ，Ｙ，Ｚ）を、指示体の位置として検出するものであってもよい。
【００３２】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３３】
スピーカ５（音声出力部）は、制御部１４から出力された音声信号に基づいて音声を出力する。
【００３４】
ＤＶＤプレーヤ６は、ＤＶＤに記録されたＡＶ（Audio-video）情報を再生し、当該ＡＶ情報を制御部１４に出力する。
【００３５】
エアコン７は、制御部１４の制御により、自車の室内の温度や湿度を調整する。
【００３６】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３７】
操作入力処理部９は、タッチパネル３の出力信号に基づいて、タッチパネル３に対してジェスチャー操作が実施されたか否かを判定するとともに、実施されたジェスチャー操作の種類を判定する。ここで、ジェスチャー操作は、指示体によりタッチパネル３の検出面をタッチするタッチ操作と、指示体によりタッチパネル３の検出面に予め定められた軌道を描くジェスチャー操作（以下「軌道ジェスチャー操作」と記す）とを含む。また、軌道ジェスチャー操作は、２点タッチ後に当該２点タッチの２点を続けて用いるジェスチャー操作を含んでもよく、または、２点タッチ後に当該２点タッチの２点のうち１点を離して残りの１点を続けて用いるジェスチャー操作を含んでもよい。
【００３８】
以上のように、操作入力処理部９は、タッチパネル３の出力信号に基づいて、ジェスチャー操作としてタッチ操作が実施されたか否かを判定する。また、タッチ操作が実施されたと判定する際には、操作入力処理部９は、タッチパネル３の検出面がタッチされた点の数及び位置（検出面をタッチした指示体の数及び位置）も判定する。したがって、操作入力処理部９は、指示体によりタッチパネル３の検出面を１点でタッチする１点タッチ操作が実施されたか否か、指示体によりタッチパネル３の検出面を２点でタッチする２点タッチ操作が実施されたか否かなどを判定することが可能となっている。
【００３９】
また、操作入力処理部９は、タッチパネル３の出力信号に基づいて、ジェスチャー操作として軌道ジェスチャー操作が実施されたか否かを判定する。ここで、軌道ジェスチャー操作は、例えば、指示体が予め定められた時間よりも短い時間で検出面を擦るフリック操作、指示体が予め定められた時間よりも長い時間で検出面を擦るドラッグ操作、及び、二つの指示体が検出面に接触した状態でそれらの間の距離を変更するピンチ操作などを含む。ただし、ドラッグ操作は、上述した操作に限ったものではなく、指示体がタッチパネルに触れたまま検出面を擦る操作として適用されてもよい。また、フリック操作は、上述した操作に限ったものではなく、指示体がタッチパネルに触れた状態からその検出面をはらう操作として適用されてもよい。
【００４０】
さらに、操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の位置を示す信号）とに基づいて、タッチパネル３、ひいてはスプリットビュー表示部２に表示されているアイコンなどに対してタッチ操作またはジェスチャー操作が実施されたか否かを判定する。例えば、操作入力処理部９は、タッチパネル３の出力信号が示す指示体の位置が、左用アイコンの表示領域に重なる（当該指示体が、当該左用アイコンの内側に位置する）と判定した場合、または、当該表示領域に重なりながら変化する（当該指示体の位置が、当該表示領域の内側に位置しながら変化する）と判定した場合には、当該左用アイコンに対するジェスチャー操作が実施されたと判定する。操作入力処理部９は、左用アイコンに関する当該判定と同様の判定を右用アイコンについても行う。
【００４１】
操作入力処理部９は、以上のジェスチャー操作の判定結果などを制御部１４に出力する。以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００４２】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図７（ａ）及び図７（ｂ）に対応する画像）を、「アイコン配置画像」と記す。「アイコン配置画像」は、地図情報にアイコンを表示した画像も含む。
【００４３】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００４４】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４５】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用アイコンの表示に用いられる少なくとも１つの画素の画素番号と、右用アイコンの表示に用いられる少なくとも１つの画素の画素番号とが一致する場合には、当該左用アイコンの表示領域の少なくとも一部と、当該右用アイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４６】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４７】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４８】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００４９】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部２（左用画像）に表示される。以下、左用画像として表示可能なアイコン配置画像（例えば図７（ａ）に対応する画像）を「左用アイコン配置画像」と記す。なお、左用画像として表示されている左用アイコン配置画像内のアイコンは、上述の左用アイコンに対応する。
【００５０】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像（例えば図７（ｂ）に対応する画像）を「右用アイコン配置画像」と記す。なお、右用画像として表示されている右用アイコン配置画像内のアイコンは、上述の右用アイコンに対応する。
【００５１】
また、制御部１４は、２点タッチ操作が実施されたと操作入力処理部９にて判定された場合に、当該２点タッチ操作の２点を通る直線（以下「２点通過直線」と記す）の延在方向に基づいて、当該２点タッチ操作が上述の左用操作及び上述の右用操作のいずれであるかを判別する。なお、２点通過直線の詳細は後述する。
【００５２】
＜動作＞
図６は、本実施の形態１に係るナビゲーション装置１の動作を示すフローチャートである。図６に示される動作はＣＰＵが記憶部１１に記憶されたプログラムを実行することによって行われる。以下、ナビゲーション装置１の動作について図６を用いて説明する。
【００５３】
まず、ステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５４】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５５】
ステップＳ３にて、制御部１４は、取得した左用アイコン配置画像をスプリットビュー表示部２の左用画像として表示し、取得した右用アイコン配置画像をスプリットビュー表示部２の右用画像として表示する。
【００５６】
図７（ａ）及び図７（ｂ）は、本実施の形態１に係るナビゲーション装置１（スプリットビュー表示部２）のステップＳ３における左用画像及び右用画像の表示例を示す図である。図７（ａ）は左用画像の表示例であり、左用アイコンＬ１，Ｌ２，Ｌ３，Ｌ４，Ｌ５（以下これらのアイコンをまとめて「左用アイコンＬ１〜Ｌ５」と記すこともある）が表示されている。図７（ｂ）は右用画像の表示例であり、右用アイコンＲ１，Ｒ２，Ｒ３，Ｒ４，Ｒ５（以下これらのアイコンをまとめて「右用アイコンＲ１〜Ｒ５」と記すこともある）が表示されている。
【００５７】
図７（ａ）及び図７（ｂ）の表示例では、左用アイコンＬ１〜Ｌ５の表示領域と右用アイコンＲ１〜Ｒ５の表示領域とが、スプリットビュー表示部２の画面上において互いに重ねて配置されている。本実施の形態１では、制御部１４は、アイコンの表示領域がスプリットビュー表示部２の画面上において互いに重なる左用アイコン配置画像及び右用アイコン配置画像を記憶部１１から取得し、これら画像をスプリットビュー表示部２に表示させることにより、図７（ａ）及び図７（ｂ）に示すような表示が実現されるものとする。
【００５８】
図６のステップＳ４にて、操作入力処理部９は、２点タッチ操作が実施されたか否かを判定する。２点タッチ操作が実施されたと判定された場合にはステップＳ５に進み、実施されなかったと判定された場合にはステップＳ４を再度行う。なお、ステップＳ４を再度行う際において、地図が左用画像または右用画像として表示されており、かつ、自車の位置が変化していた場合には、制御部１４は、当該変化に応じて当該地図をスクロールさせてもよい。
【００５９】
ステップＳ５にて、操作入力処理部９は、ステップＳ４の２点タッチ操作が左用アイコンまたは右用アイコンに対して実施されたか否かを判定する。なお、この判定結果はステップＳ９またはステップＳ１２にて用いられる。
【００６０】
ステップＳ６にて、制御部１４は、ステップＳ４の２点タッチ操作について２点通過直線を求める。そして、制御部１４は、タッチパネル３の水平方向（タッチパネル３の左右方向）に対する、当該２点通過直線の延在方向の反時計回りの傾斜角度θを求める。
【００６１】
図８は、左座席のユーザより右側に配設されているタッチパネル３に対して、当該ユーザが実施する可能性が高い２点タッチ操作を示す図である。図９は、右座席のユーザより左側に配設されているタッチパネル３に対して、当該ユーザが実施する可能性が高い２点タッチ操作を示す図である。ここで、タッチパネル３の平面上の１点を示すＸＹ座標系と、傾斜角度θとを対応付けると、例えば、水平方向であるＸ軸方向は傾斜角度θが０度に対応し、垂直方向であるＹ軸方向は傾斜角度θが９０度に対応し、−Ｘ軸方向は傾斜角度θが１８０度に対応し、−Ｙ軸方向は傾斜角度θが２７０度に対応する。
【００６２】
図８に示すように、左座席のユーザが、自身より右側に配設されているタッチパネル３に対して２点タッチ操作する場合には、タッチパネル３に近い右手の人差し指及び中指によって２点タッチ操作を実施する可能性が高いと考えられる。ここで、中指は人差し指よりも長いことから、図８に示すように、それら指先を通る直線、すなわち２点通過直線ＰＬは、右上り（左下り）となり、傾斜角度θは０度より大きく９０度より小さくなる。
【００６３】
一方、図９に示すように、右座席のユーザが、自身より左側に配設されているタッチパネル３に対して２点タッチ操作する場合には、タッチパネル３に近い左手の人差し指及び中指によって２点タッチ操作を実施する可能性が高いと考えられる。ここで、中指は人差し指よりも長いことから、図９に示すように、それら指先を通る直線、すなわち２点通過直線ＰＬは、左上り（右下り）となり、傾斜角度θは９０度より大きく１８０度より小さくなる。
【００６４】
このように、左座席のユーザが実施する可能性が高い２点タッチ操作に対応する２点通過直線ＰＬの延在方向と、右座席のユーザが実施する可能性が高い２点タッチ操作に対応する２点通過直線ＰＬの延在方向とは異なると考えられる。換言すれば、それら２点通過直線ＰＬの傾斜角度θは互いに異なると考えられる。そこで、制御部１４は、傾斜角度θ（すなわち延在方向）に基づいて、２点タッチ操作が左用操作及び右用操作のいずれであるかを判別する。
【００６５】
図６のステップＳ７にて、制御部１４は、ステップＳ６で求めた２点通過直線の傾斜角度θが、０度より大きく９０度より小さい予め定められた範囲（θ１Ｓ〜θ１Ｌ）内に存在するか、９０度より大きく１８０度より小さい予め定められた範囲（θ２Ｓ〜θ２Ｌ）内に存在するか、または、これらのいずれでもないかを判断する。なお、ここでは、図８に示すようにθ１Ｓ＝１０度、θ１Ｌ＝８０度として説明するが、θ１Ｓ，θ１Ｌは、０度より大きく９０度より小さい角度であれば１０度，８０度以外の角度であってもよい。また、ここでは、図９に示すようにθ２Ｓ＝１００度、θ２Ｌ＝１７０度として説明するが、θ２Ｓ，θ２Ｌは、９０度より大きく１８０度より小さい角度であれば１００度、１７０度以外の角度であってもよい。
【００６６】
傾斜角度θがθ１Ｓ〜θ１Ｌ内に存在する（傾斜角度θが１０度より大きく８０度より小さい）と判断した場合にはステップＳ８に進み、傾斜角度θがθ２Ｓ〜θ２Ｌ内に存在する（傾斜角度θが１００度より大きく１７０度より小さい）と判断した場合にはステップＳ１１に進み、これらのいずれでもないと判断した場合にはステップＳ４に戻る。なお、ステップＳ４に戻る際において、地図が左用画像または右用画像として表示されており、かつ、自車の位置が変化していた場合には、制御部１４は、当該変化に応じて当該地図をスクロールさせてもよい。このことは、ステップＳ７以外のステップからステップＳ４に戻る際においても同様である。
【００６７】
ステップＳ７からステップＳ８に進んだ場合、ステップＳ８にて、制御部１４は、ステップＳ４の２点タッチ操作を左用操作として判別する。
【００６８】
ステップＳ９にて、制御部１４は、左用操作であると判別された２点タッチ操作が、左用アイコンに対して実施されたか否かを、ステップＳ５の判定結果に基づいて判断する。当該２点タッチ操作が、左用アイコンに対して実施されたと判断された場合にはステップＳ１０に進み、そうでない場合にはステップＳ４に戻る。
【００６９】
ステップＳ１０にて、制御部１４は、２点タッチ操作が実施された左用アイコンに予め対応付けられた機能を実行する。その後ステップＳ４に戻る。なお、当該左用アイコンに対して、アイコン配置画像が予め対応付けられて記憶部１１に記憶されている場合には、ステップＳ１０からステップＳ３に戻って、当該アイコン配置画像がスプリットビュー表示部２に表示されてもよい。
【００７０】
ステップＳ７からステップＳ１１に進んだ場合、ステップＳ１１にて、制御部１４は、ステップＳ４の２点タッチ操作を右用操作として判別する。
【００７１】
ステップＳ１２にて、制御部１４は、右用操作であると判別された２点タッチ操作が、右用アイコンに対して実施されたか否かを、ステップＳ５の判定結果に基づいて判断する。当該２点タッチ操作が、右用アイコンに対して実施されたと判断された場合にはステップＳ１３に進み、そうでない場合にはステップＳ４に戻る。
【００７２】
ステップＳ１３にて、制御部１４は、２点タッチ操作が実施された右用アイコンに予め対応付けられた機能を実行する。その後ステップＳ４に戻る。なお、当該右用アイコンに対して、アイコン配置画像が予め対応付けられて記憶部１１に記憶されている場合には、ステップＳ１３からステップＳ３に戻って、当該アイコン配置画像がスプリットビュー表示部２に表示されてもよい。
【００７３】
以上で説明した図６の動作の一例について説明する。例えば、図１０（ａ）及び図１０（ｂ）に示されるように、左座席のユーザの右手の指（指示体）２１による２点タッチ操作が左用アイコンＬ１及び右用アイコンＲ１に対して実施されたものとする。この場合には、実施された２点タッチ操作が、図８の２点タッチ操作と同様であることから、制御部１４は、当該２点タッチ操作に係る２点通過直線ＰＬの傾斜角度θがθ１Ｓ〜θ１Ｌ内に存在すると判断し、当該２点タッチ操作を左用操作として判別する。この結果、制御部１４は、右用アイコンＲ１に対応付けられた機能を実行せずに、左用アイコンＬ１に対応付けられた機能を実行する。
【００７４】
一方、例えば、図１１（ａ）及び図１１（ｂ）に示されるように、右座席のユーザの左手の指（指示体）２１による２点タッチ操作が左用アイコンＬ１及び右用アイコンＲ１に対して実施されたものとする。この場合には、実施された２点タッチ操作が、図９の２点タッチ操作と同様であることから、制御部１４は、当該２点タッチ操作に係る２点通過直線ＰＬの傾斜角度θがθ２Ｓ〜θ２Ｌ内に存在すると判断し、当該２点タッチ操作を右用操作として判別する。この結果、制御部１４は、左用アイコンＬ１に対応付けられた機能を実行せずに、右用アイコンＲ１に対応付けられた機能を実行する。
【００７５】
＜効果＞
以上のような本実施の形態１に係るナビゲーション装置１によれば、実施されたと判定された２点タッチ操作が、左用操作及び右用操作のいずれであるかを、当該２点タッチ操作に係る２点通過直線の延在方向に基づいて判別する。したがって、左座席のユーザ、及び、右座席のユーザの一方は、他方と延在方向が異なる２点タッチ操作を実施することにより、他方のアプリケーションを知らないうちに実行することなく、一方のアプリケーションを実行することができる。
【００７６】
特に、左用アイコンＬ１〜Ｌ５の表示領域の少なくとも一部と、右用アイコンＲ１〜Ｒ５の表示領域の少なくとも一部とが、スプリットビュー表示部２の画面上において互いに重ねて配置される構成において、上述の効果は有効である。そして、このようにアイコンの表示領域がスプリットビュー表示部２の画面上において互いに重ねて配置されることにより、アイコン配置画像を生成する工程にて、アイコンを配置するための領域が不足することを抑制することができるとともに、アイコン配置に課せられる制約を低減することができる。
【００７７】
また、本実施の形態１によれば、傾斜角度θが、０度より大きく９０度より小さいθ１Ｓ〜θ１Ｌ内に存在する場合には、２点タッチ操作が左用操作として判別される。したがって、人間工学の観点から自然であり、左用操作として実施される可能性が高い２点タッチ操作を、左用操作として判別することができる。また、傾斜角度θが、９０度より大きく１８０度より小さいθ２Ｓ〜θ２Ｌ内に存在する場合には、２点タッチ操作が右用操作として判別される。したがって、人間工学の観点から自然であり、右用操作として実施される可能性が高い２点タッチ操作を、右用操作として判別することができる。
【００７８】
＜実施の形態１の変形例１＞
実施の形態１においては、２点タッチ操作が実施されたと判定された場合に、当該２点タッチ操作が左用操作及び右用操作のいずれであるかを判別した。しかしこれに限ったものではなく、２点タッチ操作が左用操作及び右用操作のいずれであるかを判別する代わりに、当該２点タッチ操作後のジェスチャー操作（タッチ操作または軌道ジェスチャー操作）が左用操作及び右用操作のいずれであるかを判別してもよい。つまり、制御部１４は、２点タッチ操作後のジェスチャー操作が実施されたと操作入力処理部９にて判定された場合に、当該実施されたと判定されたジェスチャー操作が左用操作及び右用操作のいずれであるかを、２点通過直線の延在方向に基づいて判別してもよい。
【００７９】
例えば、図１２（ａ）及び図１２（ｂ）に示されるように、左座席のユーザの右手の指２１による２点タッチ操作後のドラッグ操作が、左用画像の点Ｄｌ及び右用画像の点Ｄｒに対して実施されたものとする（図中の矢印２１Ａは当該ドラッグ操作における指２１の軌道を示す）。この場合には、制御部１４は、２点タッチ操作に係る２点通過直線ＰＬの傾斜角度θがθ１Ｓ〜θ１Ｌ内に存在すると判断することから、当該２点タッチ操作後のドラッグ操作を、左用画像の点Ｄｌに対する左用操作として判別してもよい。なお、２点タッチ操作後のジェスチャー操作として、ドラッグ操作の代わりにフリック操作及びピンチ操作などが適用された場合も同様である。この操作は、例えばアイコン外で操作を行う地図スクロール機能等に適用される。
【００８０】
また、例えば、図１３（ａ）及び図１３（ｂ）に示されるように、右座席のユーザの左手の指２１による２点タッチ操作後のドラッグ操作が左用画像の点Ｄｌ及び右用画像の点Ｄｒに対して実施されたものとする（図中の矢印２１Ａは当該ドラッグ操作における指２１の軌道を示す）。この場合には、制御部１４は、２点タッチ操作に係る２点通過直線ＰＬの傾斜角度θがθ２Ｓ〜θ２Ｌ内に存在すると判断することから、当該２点タッチ操作後のドラッグ操作を、右用画像の点Ｄｒに対する右用操作として判別してもよい。なお、２点タッチ操作後のジェスチャー操作として、ドラッグ操作の代わりにフリック操作及びピンチ操作などが適用された場合も同様である。
【００８１】
以上のような構成によれば、２点タッチ操作後のジェスチャー操作について、実施の形態１と同様の効果を得ることができる。
【００８２】
＜実施の形態１の変形例２＞
実施の形態１では、左用操作の判別に用いられる範囲（θ１Ｓ〜θ１Ｌ）は、０度より大きく９０度より小さい範囲であり、右用操作の判別に用いられる範囲（θ２Ｓ〜θ２Ｌ）は、９０度より大きく１８０度より小さい範囲であった。
【００８３】
しかし、判別に用いられる範囲の値は、これに限ったものではなく、運転席及び助手席に対するタッチパネル３の配設位置などに基づいて別の値に変更されてもよい。その結果として、例えば、制御部１４は、傾斜角度θが−４５度より大きく４５度より小さい予め定められた範囲内に存在する場合に、実施されたと判定された２点タッチ操作を左用操作として判別し、傾斜角度θが４５度より大きく１３５度より小さい予め定められた範囲内に存在する場合に、実施されたと判定された２点タッチ操作を右用操作として判別してもよい。このように構成した場合には、助手席の同乗者が右用操作を実施するためには多少不自然な２点タッチ操作を実施しなければならないが、その一方で、運転者が左用操作を実施するためには、人間工学の観点から自然な２点タッチ操作を実施すればよいことになる。この結果、２点タッチ操作の実施による運転者の負担を抑制することができるので、運転者は運転に集中することが可能となる。
【００８４】
＜実施の形態１の変形例３＞
これまでに説明した左用画像及び右用画像（例えば、図７（ａ）及び図７（ｂ）など）においては、左用アイコンＬ１〜Ｌ５のそれぞれの表示領域と、右用アイコンＲ１〜Ｒ５のそれぞれの表示領域とが、スプリットビュー表示部２の画面上において互いに重ねて配置されていた。しかしこれに限ったものではなく、左用アイコンＬ１〜Ｌ５の少なくとも１つの表示領域の少なくとも一部と、右用アイコンＲ１〜Ｒ５の少なくとも１つの表示領域の少なくとも一部とが、スプリットビュー表示部２の画面上において互いに重ねて配置されたものであればよい。
【００８５】
図１４（ａ）及び図１４（ｂ）は、その一例を示す図である。具体的には、左用アイコンＬ１，Ｌ２，Ｌ３の表示領域と、右用アイコンＲ１，Ｒ２，Ｒ３の表示領域とが、スプリットビュー表示部２の画面上において互いに重ねて配置されている。一方、左用アイコンＬ４，Ｌ５の表示領域及び右用アイコンＲ４，Ｒ５の表示領域は、各アイコンからスプリットビュー表示部２の画面上において離間して配置されている。
【００８６】
ここで、操作入力処理部９が、タッチパネル３からの出力信号に基づいて、１点タッチ操作が左用アイコンＬ１，Ｌ２，Ｌ３及び右用アイコンＲ１，Ｒ２，Ｒ３のいずれかに対する操作として実施されたと判定したとする。この場合には、制御部１４は、当該実施されたと判定された１点タッチ操作を無効にする。すなわち、左用アイコンＬ１，Ｌ２，Ｌ３及び右用アイコンＲ１，Ｒ２，Ｒ３のいずれかに対して１点タッチ操作が実施された場合には、制御部１４は、当該１点タッチ操作が実施されたアイコンに対応する機能を実行しないようにする。
【００８７】
一方、操作入力処理部９が、タッチパネル３からの出力信号に基づいて、１点タッチ操作が左用アイコンＬ４，Ｌ５及び右用アイコンＲ４，Ｒ５のいずれかに対する操作として実施されたと判定したとする。この場合には、制御部１４は、当該実施されたと判定された１点タッチ操作を有効にする。すなわち、左用アイコンＬ４，Ｌ５及び右用アイコンＲ４，Ｒ５のいずれかに対して１点タッチ操作が実施された場合には、制御部１４は、当該１点タッチ操作が実施されたアイコンに対応する機能を実行する。
【００８８】
このように構成されたナビゲーション装置１によれば、スプリットビュー表示部２の画面上において互いに重なる左用アイコン及び右用アイコン、すなわち左用操作及び右用操作の判別が必要なアイコンに対しては、左用操作及び右用操作の判別が困難な１点タッチ操作を無効にする。これにより、例えば、ユーザは、１点タッチ操作が無効となったアイコンに対しては２点タッチ操作を実施すべきであったことに気づくことができる。一方、スプリットビュー表示部２の画面上において離間する左用アイコン及び右用アイコン、すなわち左用操作及び右用操作の判別が必要でないアイコンに対しては、比較的単純な操作である１点タッチ操作を有効にすることができる。
【００８９】
また、制御部１４は、図１４（ａ）及び図１４（ｂ）に示されるように、スプリットビュー表示部２の画面上において離間する左用アイコンＬ４，Ｌ５及び右用アイコンＲ４，Ｒ５と、スプリットビュー表示部２の画面上において互いに重なる左用アイコンＬ１，Ｌ２，Ｌ３及び右用アイコンＲ１，Ｒ２，Ｒ３とを、異なる表示形態で表示することにより、識別可能に表示させてもよい。
【００９０】
このように構成されたナビゲーション装置１によれば、ユーザは、スプリットビュー表示部２の画面上において互いに重なる左用アイコン及び右用アイコン、すなわち２点タッチ操作すべきアイコンを、操作前に知ることができる。
【００９１】
なお、識別可能な表示形態の一例として、図１４（ａ）及び図１４（ｂ）の表示例では、スプリットビュー表示部２の画面上において、離間する左用アイコンＬ４，Ｌ５及び右用アイコンＲ４，Ｒ５の外枠には、長方形が適用され、互いに重なる左用アイコンＬ１，Ｌ２，Ｌ３及び右用アイコンＲ１，Ｒ２，Ｒ３の外枠には、直方体を二次元で示す図形が適用されている。しかし、これらアイコンを識別することが可能であれば、他の表示形態が適用されてもよい。
【００９２】
例えば、スプリットビュー表示部２の画面上において互いに重なる左用アイコンＬ１，Ｌ２，Ｌ３には、図１５（ａ）に示される表示形態に代えて、図１５（ｂ）に示されるようなサイズ、色及び模様などが左用アイコンＬ４，Ｌ５と異なる表示形態、図１５（ｃ）に示されるような左用操作に対応する２点タッチ操作の２点の配置を示す２つの点２６がアイコンに隣接して付加された表示形態、または、図１５（ｄ）に示されるような左用操作に対応する２点タッチ操作の２点の配置を示す２つの点２６がアイコン内に付加された表示形態が適用されてもよい。さらに、図１５（ｃ）に示されるように、アイコン周辺の背景画像２７が、他の背景画像と異なる色及び模様などで表示されてもよい。
【００９３】
同様に、スプリットビュー表示部２の画面上において互いに重なる右用アイコンＲ１，Ｒ２，Ｒ３には、図１５（ｅ）に示される表示形態に代えて、図１５（ｆ）に示されるようなサイズ、色及び模様などが右用アイコンＲ４，Ｒ５と異なる表示形態、図１５（ｇ）に示されるような右用操作に対応する２点タッチ操作の２点の配置を示す２つの点２６がアイコンに隣接して付加された表示形態、または、図１５（ｈ）に示されるような右用操作に対応する２点タッチ操作の２点の配置を示す２つの点２６がアイコン内に付加された表示形態が適用されてもよい。また、図１５（ｇ）に示されるように、アイコン周辺の背景画像２７が、他の背景画像と異なる色及び模様などで表示されてもよい。
【００９４】
また、以上で説明した構成において、操作入力処理部９が、タッチパネル３からの出力信号に基づいて、１点タッチ操作が左用アイコンＬ１，Ｌ２，Ｌ３及び右用アイコンＲ１，Ｒ２，Ｒ３のいずれかに対する操作として実施されたと判定したとする。この場合に、制御部１４は、上述の表示信号及び音声信号の少なくともいずれか１つに対応する報知用の信号を生成してもよい。
【００９５】
すなわち、左用アイコンＬ１，Ｌ２，Ｌ３及び右用アイコンＲ１，Ｒ２，Ｒ３のいずれかに対して１点タッチ操作が実施された場合には、スプリットビュー表示部２の表示、及び、スピーカ５の音声出力の少なくともいずれか１つを用いて報知してもよい。
【００９６】
このように構成されたナビゲーション装置１によれば、ユーザは、報知されたアイコンに対しては２点タッチ操作を実施すべきであったことに気づくことができる。
【００９７】
また、スプリットビュー表示部２の表示を用いた報知の一例として、制御部１４は、図７（ａ）のように左用アイコンＬ１〜Ｌ５を全て同じ表示形態で表示しておく。そして、左用アイコンＬ１，Ｌ２，Ｌ３に対して１点タッチ操作が実施されたと判定された場合に、制御部１４が、当該左用アイコンＬ１，Ｌ２，Ｌ３を、図１５（ａ）、図１５（ｂ），図１５（ｃ）または図１５（ｄ）に示される表示形態に変更することによって、上述の報知が行われもよい。同様に、右用アイコンＲ１，Ｒ２，Ｒ３に対して１点タッチ操作が実施されたと判定された場合に、制御部１４が、当該右用アイコンＲ１，Ｒ２，Ｒ３を、図１５（ｅ）、図１５（ｆ）、図１５（ｇ）または図１５（ｈ）に示される表示形態に変更することによって、上述の報知が行われてもよい。
【００９８】
＜実施の形態１のその他の変形例＞
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【００９９】
なお、以上の説明では、制御部１４は、２点タッチ操作の２点通過直線の傾きに基づいて、当該２点タッチ操作が左用操作であるか右用操作であるかを判断したが、これに限ったものではない。例えば、制御部１４は、２点タッチ操作の２点間の距離が予め定められた距離以下である場合に、上述の傾きに基づいて２点タッチ操作が左用操作であるか右用操作であるかを判断し、２点間の距離が予め定められた距離を超える場合に、２点タッチ操作は左用操作及び右用操作のいずれでもないと判断してもよい。
【０１００】
この理由は、車載装置に対する操作を鑑みると、上述したように、２点タッチ操作には人差し指と中指とが用いられる傾向があると考えられ、特に車両走行中における運転者の操作においては、この傾向が強いと考えられるからでる。もちろん、個人によっては、中指と薬指とを用いた２点タッチ操作が実施される可能性も考えられるが、いずれにせよ、２点タッチ操作の２点の間の距離は比較的短い距離である。体型による個人差もあるが、上述のあらかじめ定められた距離としては、２ｃｍ〜８ｃｍ程度が好ましい。
【０１０１】
ここで、２点タッチ操作を実施する意図がなかったにもかかわらず、隣り合わない２本の指（例えば親指及び小指）によってタッチパネル３に誤って触れてしまった場合、隣り合わない２本の指による２点タッチ操作の２点の間の距離は比較的長い距離になる。したがって、本構成によれば、２点タッチ操作の２点間の距離が長い場合には判断を実行しないので、親指及び小指などによる意図しない２点タッチ操作、つまり誤操作の影響を抑制することができる。
【０１０２】
また、操作者が親指と人差し指とを無理に用いて２点タッチ操作を実施することも考えられるが、親指と人差し指は隣り合う２本の指であることから、当該２点タッチ操作の２点間の距離は比較的短い。このため、この場合には、制御部１４は、当該２点タッチ操作を誤操作と判断せずに、適切な２点タッチ操作と判断して、当該２点タッチ操作が左用操作であるか右用操作であるかについての判断を実行することができる。
【０１０３】
なお、上述の予め定められた距離の値（以下「距離閾値」と記す）は、操作を繰り返す間に制御部１４で学習することによって修正されてもよい。また、操作者に試験的に２点タッチ操作を実施させるキャリブレーションモードを設け、自動的に距離閾値を設定するようにしてもよい。また、ナビゲーション装置１（表示制御装置）の起動時ごと、または、購入してからの最初の起動時に、制御部１４は、例えば何らかの使用上の注意を表示させる。そして、了承ボタンを押させる画面で、操作者に２点タッチ操作の実施を促すことによって、操作者が意図しなくても自動的に距離閾値が設定されるようにしてもよい。
【０１０４】
また、２点タッチ操作の２点間の距離に基づく上述の制約は、運転者側にのみ設定し、助手席側は自由に指を使って操作できるようにしてもよい。このような構成によれば、助手席側の操作の自由度を高めることができる。また、車両停止中には、運転者側であっても、上述の制約を解除するようにしてもよい。このような構成によれば、車両が停車している間における、運転者側の操作の自由度を高めることができる。
【０１０５】
また、２点タッチ操作の２点の両方が同一アイコン上に位置する場合に、制御部１４は、左用操作であるか右用操作であるかについての判断を実行してもよい。このような構成によれば、操作性はやや低下するが、誤操作の影響を抑制する効果を高めることができる。
【０１０６】
また、制御部１４は、２点タッチ操作の２点が別々のアイコン上にそれぞれ位置する場合には、予め定められた位置関係（方向関係）にあるタッチ操作（タッチ位置）を優先してもよい。例えば、上方のタッチ位置を優先して、当該上方のタッチ位置におけるアイコンに対して操作が実施されたと判断してもよい。また、制御部１４は、２点タッチ操作の位置関係に基づいて判断する代わりに、２点タッチ操作が実施された２つのアイコンのうち、各アイコンの中心とタッチ位置との距離を求め、当該距離が短いアイコンに対して操作が実施されたと判断してもよい。そして、制御部１４は、双方の距離が等しい場合には、いずれのタッチ操作も無効としてもよい。また、制御部１４は、２点タッチ操作の２点が別々のアイコン上にそれぞれ位置する場合には、いずれのタッチ操作も無効としてもよい。
【０１０７】
また、以上の構成において、操作が無効になった場合には、その旨を、音、音声、表示で報知してもよいし、無効の理由を同時に報知してもよい。
【０１０８】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話機、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１０９】
例えば、以上の説明では、表示制御装置を、ナビゲーション装置１に適用した構成について説明したが、これに限ったものではなく、ナビゲーション機能を持たないが表示機能を有する所謂ディスプレイオーディオ、ＰＮＤ、携帯端末、設置型の表示装置、及び、サーバのいずれかに適用してもよい。
【０１１０】
また、以上では、スプリットビュー方式の表示部に、ナビゲーション装置１が備えるスプリットビュー表示部２を適用した構成について説明したが、これに限ったものではない。例えば、表示制御装置をスマートフォンに適用する場合には、スマートフォンが備えるスプリットビュー方式の表示部が適用されてもよい。
【０１１１】
なお、本発明は、その発明の範囲内において、実施の形態に各変形例を自由に組み合わせたり、各変形例を適宜、変形、省略したりすることが可能である。
【符号の説明】
【０１１２】
１  ナビゲーション装置、２  スプリットビュー表示部、３  タッチパネル、１４  制御部、２１  指、Ｌ１〜Ｌ５  左用アイコン、ＰＬ  ２点通過直線、Ｒ１〜Ｒ５  右用アイコン、θ  傾斜角度。
【図１】
2015108985.tif 000003
【図２】
2015108985.tif 000004
【図３】
2015108985.tif 000005
【図４】
2015108985.tif 000006
【図５】
2015108985.tif 000007
【図６】
2015108985.tif 000008
【図７】
2015108985.tif 000009
【図８】
2015108985.tif 000010
【図９】
2015108985.tif 000011
【図１０】
2015108985.tif 000012
【図１１】
2015108985.tif 000013
【図１２】
2015108985.tif 000014
【図１３】
2015108985.tif 000015
【図１４】
2015108985.tif 000016
【図１５】
2015108985.tif 000017